【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
入力バスから得られる状態列を生成するためのコントローラであって、前記状態はそれぞれがデジタル値として実現される複数個の独立変数を含み、前記変数はそれぞれが対応するデジタルの精度で表されており、前記状態は持続することを更に特徴とし、
（ａ）対応するデータを前記入力バスから受け取って保持するための複数個のラッチレジスタと、
（ｂ）前記入力バスから対応するデータを受け取って保持するための少なくとも1個の演算ラッチレジスタアセンブリであって、前記データを演算則に従って組み合わせ、演算結果データを生成する演算モジュールと、前記演算結果データを保持する対応するラッチ結果レジスタとを備えている演算ラッチレジスタアセンブリと、
（ｃ）複数個のＦＩＦＯ部であって、そのそれぞれが前記ラッチレジスタの1個及び前記ラッチ結果レジスタの１個と対応し、前記ラッチレジスタ及び前記ラッチ結果レジスタは前記ＦＩＦＯ部の1個と対応関係にあり、それによって前記ＦＩＦＯ部を備えたＦＩＦＯアセンブリが前記状態列を収容するＦＩＦＯ部と
を備えていることを特徴とするコントローラ。
【請求項２】
前記ＦＩＦＯアセンブリは出力レジスタを備えており、持続期間が前記状態のそれぞれから得られ、前記状態はそれぞれ前記持続期間の間、前記出力レジスタにおいて持続することを特徴とする請求項１に記載のコントローラ。
【請求項３】
前記状態はベクトルのフィールドを含むことを特徴とする請求項１に記載のコントローラ。
【請求項４】
前記ベクトルは磁場勾配であることを特徴とする請求項３に記載のコントローラ。
【請求項５】
前記状態はＲＦフィールドを含むことを特徴とする請求項１に記載のコントローラ。
【請求項６】
入力バスから得られる状態列を生成するためのコントローラであって、前記状態はそれぞれがデジタル値として実現される複数個の独立変数を含み、前記変数はそれぞれが対応するデジタルの精度で表されており、前記状態は持続することを更に特徴とし、
（ａ）対応するデータを前記入力バスから受け取って保持するための複数個のラッチレジスタであって、この複数個のラッチレジスタの少なくとも1個が、前記データの引数部と、前記データの増分部と、前記増分部を加算することによって前記引数を変更するための加算器とを備え、その結果を対応する演算レジスタに伝達し、それによって前記少なくとも1個のラッチレジスタの前記引数部に保持された値を更新するラッチレジスタと、
（ｂ）前記対応するラッチレジスタから対応するデータを受け取って保持するための少なくとも1個の演算ラッチレジスタアレイであって、前記データを演算則に従って組み合わせ、演算結果データを生成する演算モジュールと、前記演算結果データを保持するようにされた対応する演算ラッチレジスタとを備えている演算ラッチレジスタアレイと、
（ｃ）複数個のＦＩＦＯ部であって、この複数個のＦＩＦＯ部のそれぞれが前記ラッチレジスタの1個及び前記演算ラッチレジスタの１個と対応し、前記ラッチレジスタ及び前記演算ラッチレジスタは前記ＦＩＦＯ部の1個と対応関係にあり、それによって前記ＦＩＦＯ部を備えたＦＩＦＯアセンブリが前記状態列を収容するＦＩＦＯ部と
を備えていることを特徴とするコントローラ。
【請求項７】
前記ＦＩＦＯアセンブリは出力レジスタを備え、持続期間が前記状態のそれぞれから得られ、前記状態はそれぞれ前記持続期間の間、前記出力レジスタにおいて持続することを特徴とする請求項６に記載のコントローラ。
【請求項８】
前記状態はベクトルのフィールドを含むことを特徴とする請求項１に記載のコントローラ。
【請求項９】
前記ベクトルは磁場勾配であることを特徴とする請求項３に記載のコントローラ。
【請求項１０】
前記状態はＲＦフィールドを含むことを特徴とする請求項１に記載のコントローラ。
【請求項１１】
複数個のパラメータにより即時に特定されるシステムを制御するための方法であって、前記システムは同期的動作のためのクロックデバイスを有し、
各状態を定義するための前記複数個のパラメータをデフォルト値に初期化する工程と、
前後に隣接する個々の時点における状態の経過推移を規定する工程であって、持続期間を各状態に割り当てる工程を含む工程と、
前記パラメータの１個以上の先行する状態からの値の変化によって、各状態を特徴づける工程と、
前記変化した値だけを対応する複数個のラッチデータレジスタに転送する工程であって、前記ラッチレジスタがオペランドパラメータに対応し、かつ前記ラッチレジスタのコンテントをそれぞれの演算セルに転送して、前記オペランドパラメータの結果に対し演算を行ってラッチ結果レジスタに保持する工程と、
前記ラッチレジスタ及び前記結果レジスタのそれぞれに保持されたパラメータ並びに対応する持続期間を、非同期／同期バッファに伝達する工程と、
前記パラメータ及び前記結果を、前記クロックデバイスに同期して出力に与える工程と、
前記出力を前記対応する持続期間の間、維持する工程とを備えていることを特徴とする方法。
【請求項１２】
前記ラッチレジスタに転送された前記オペランドパラメータは、少なくとも、ＲＦ位相、ＲＦ振幅、及びＲＦ周波数に比例する値を含むことを特徴とする請求項１１に記載の方法。
【請求項１３】
前記ラッチレジスタに転送された前記オペランドパラメータは、少なくとも、磁場勾配ベクトルの大きさと磁場勾配ベクトルの方向とを含むことを特徴とする請求項１１に記載の方法。
【請求項１４】
試料容積のコンテントを調査するためのＮＭＲ装置であって、
核スピンのために好ましい方向を設定するための偏光磁石と、
選択された位相、振幅、及び周波数を得るために制御可能なＲＦエネルギー源と、
同期的動作のためのクロックデバイスを備えたＲＦコントローラとを備え、
このＲＦコントローラが、
各状態を定義するためにＲＦ動作パラメータをそのデフォルト値に初期化し、
前後に隣り合う個々の時点における状態の経過推移を規定することであって、この経過推移を規定することが、各状態に持続期間を割り当てることと、前記パラメータの１個以上の先行する状態からの値の変化によって前記各状態を特徴づけることと、前記ＲＦパラメータの内、前記変化した値だけを対応する複数個のラッチデータレジスタに転送し、前記ラッチレジスタはオペランドパラメータに対応しており、かつ前記ラッチレジスタのコンテントをそれぞれの演算セルに転送して前記オペランドパラメータの結果に対し演算を行い、ラッチ結果レジスタに保持することと、前記ラッチレジスタ及び前記結果レジスタのそれぞれに保持されたパラメータ並びに対応する持続期間を、非同期／同期バッファに伝達することと、前記パラメータ及び前記結果を前記クロック装置に同期して出力に与えることと、前記出力を前記対応する持続期間の間、保持することとを含むように規定し、
前記出力を、それに応じて前記ＲＦエネルギー源を動作させる
ためのものであることを特徴とするＮＭＲ装置。
【請求項１５】
前記演算セルは、前記ＲＦ位相を加算処理によって変化させ、前記加算結果を前記ラッチレジスタ及び前記演算セルの両方に返送することを特徴とする請求項１４に記載のＮＭＲ装置。
【請求項１６】
磁場勾配ベクトルフィールドを前記試料容積にかけるための磁場勾配装置と、
磁場ベクトルコントローラであって、前記クロックと同期して前記磁場ベクトル装置を制御し、前記磁場勾配ベクトルの方向及び大きさを設定し、選択された勾配ベクトルの持続期間の間、前記ベクトルを持続させる別のプロセッサを備えた磁場ベクトルコントローラとを更に備えていることを特徴とする請求項１４に記載のＮＭＲ装置。
【請求項１７】
入力バスから得られる状態の列を生成するためのコントローラであって、前記状態はそれぞれがデジタル値として実現される複数個の独立変数を含み、前記変数はそれぞれが対応するデジタルの精度で表されており、前記状態は更に持続することを特徴とし、
対応するデータを前記入力バスから受け取って保持するための複数個のラッチレジスタであって、前記ラッチレジスタは複数個のＦＩＦＯ部と交信し、前記ＦＩＦＯ部は、状態持続期間を有し、それぞれが前記ラッチレジスタの１個と対応関係にあり、前記ラッチレジスタはそれぞれ前記ＦＩＦＯ部の１個と対応関係にあり、状態持続ロジックによって前記状態はそれぞれ所定の期間、前記ＦＩＦＯの出力に生成されるものである複数個のラッチレジスタと、
増分状態生成器であって、前記ラッチレジスタの少なくとも１個が、前記データの引数部と、前記データの増分部と、前記増分部を加算することによって前記引数を変更するための加算器とを備え、その結果を対応する前記ラッチレジスタに伝達して前記ラッチレジスタの前記引数部に保持された値を更新する増分状態生成器と、を備えたことを特徴とするコントローラ。
【請求項１８】
前記ＦＩＦＯ部の選択されたものがＲＦ電源と交信してＲＦ位相、ＲＦ振幅、及びＲＦ周波数のいずれか一つまたは全てを制御することを特徴とする請求項１７に記載のコントローラ。